(57)【要約】      （修正有）【課題】２枚の半体を溶着することにより形成される側壁部材の反り変形を抑制することができ、パレット部材と側壁部材とからなるボックスパレットの組み立て作業や折り畳み作業を、迅速に、且つ、容易に行なう。【解決手段】相対する高部土手部と相対する低部土手部とを有するパレット部材と、相対する一方の側壁部材と、相対するもう一方の側壁部材とからなるボックスパレットにおいて、側壁部材が、厚さ方向に垂直に２分割された板材からなる２枚の半体３Ａ、３Ｂを、溶着することにより形成されているとともに、一方の半体３Ａの中央領域３ａ２の肉厚と、もう一方の半体３Ｂの中央領域３ｂ２の肉厚とを、略同じに形成した。【選択図】図３
2014162555.tif 000002
【特許請求の範囲】
【請求項１】
相対する高部土手部と相対する低部土手部とを有するパレット部材と、相対する一方の側壁部材と、相対するもう一方の側壁部材とからなるボックスパレットにおいて、側壁部材が、厚さ方向に垂直に２分割された板材からなる２枚の半体を、溶着することにより形成されているとともに、一方の半体の中央領域の肉厚と、もう一方の半体の中央領域の肉厚とが、略同じ肉厚に形成されていることを特徴とするボックスパレット。
【発明の詳細な説明】
【技術分野】
【０００１】
本発明は、相対する高部土手部、相対する低部土手部及びフォーク挿入口が形成されているパレット部材と、相対する高部土手部から上方に引き抜き可能な側壁部材と、相対する低部土手部にヒンジ連結された側壁部材とからなり、高部土手部に、略垂直に立てられた状態の側壁部材を、上方に引き抜き、次いで、低部土手部にヒンジ連結された略垂直な側壁部材を、パレット部材に重なるように倒し、その後、パレット部材に重なるように倒された側壁部材を覆うように、引き抜かれた側壁部材を重ねるように構成されたボックスパレットに関するものである。
【背景技術】
【０００２】
上述した上方に引き抜き可能な側壁部材及びヒンジ連結された側壁部材は、特許文献１に開示されているように、ボックスパレットが箱型に組み立てられた際に、ボックスパレットの内側に位置する内側半体と、ボックスパレットが箱型に組み立てられた際に、ボックスパレットの外側に位置する外側半体とを溶着することにより形成されている（特許文献１の段落番号００４１や段落番号００６６等を参照されたい。）。
【０００３】
また、上方に引き抜き可能な側壁部材の係合部には、下方が開放された嵌合凹部を有する、下方に延在する垂直部と水平部とからなる嵌合凸部が形成されているとともに、ヒンジ連結された側壁部材には、上方が開放された嵌合凹部を有する、上方に延在する垂直部と水平部とからなる嵌合凸部が形成されている（特許文献１の段落番号００３４や段落番号００６０等を参照されたい。）。
【０００４】
折り畳まれた状態のボックスパレットを、箱型に組み立てるには、先ず最初に、パレット部材に重なるように倒されている、ヒンジ連結された側壁部材を覆っている引き抜かれた側壁部材を取り除き、次いで、ヒンジ連結された側壁部材を略垂直に立て、その後、引き抜かれた側壁部材を下降させて、引き抜かれた側壁部材の嵌合凸部に形成された下方が開放された嵌合凹部に、ヒンジ連結された側壁部材の嵌合凸部を嵌合させると同時に、ヒンジ連結された側壁部材の上方が開放された嵌合凹部に、引き抜かれた側壁部材の嵌合凸部を嵌合させることにより、ボックスパレットが、箱型に組み立てられるように構成されている。
【０００５】
上述した引き抜かれた側壁部材及びヒンジ連結された側壁部材に形成された嵌合凸部には、ボックスパレットを箱型に組み立てる際や箱型に組み立てられた後に、大きな負荷が加わることになるので、嵌合凸部が形成される半体を、肉厚に形成し、嵌合凸部が形成されない半体を、薄肉に形成するようにした側壁部材が、特許文献１に開示されている。
【先行技術文献】
【特許文献】
【０００６】
【特許文献１】特開２０１２−１９２９３８号公報
【発明の概要】
【発明が解決しようとする課題】
【０００７】
上述した、従来のボックスパレットにおいては、内側半体と外側半体とを融着することにより形成される側壁部材のうち、嵌合凸部が形成される半体を、厚肉に形成し、嵌合凸部が形成されない半体を、薄肉に形成していた。
【０００８】
上述したように、嵌合凸部が形成される半体が、厚肉に成形されており、また、肉厚に形成されている半体は、リブの高さが高いために、先端と根本の肉厚差により、変形が生ずることになる。一方、薄肉の半体は、このような反り変形が少ない。
【０００９】
上述したような、厚肉な半体と薄肉の半体を溶着して、側壁部材を形成すると、反り変形が少ない薄肉の半体が、反り変形が大きな厚肉の半体に影響されて変形し、側壁部材に反り変形が残るという問題があった。
【００１０】
側壁部材が変形していると、パレット部材と側壁部材とからなるボックスパレットの組み立て作業や折り畳み作業に、支障を来すという問題があった。
【００１１】
本発明の目的は、上述した従来のボックスパレットが有する課題を、解決することにある。
【課題を解決するための手段】
【００１２】
本発明は、上述した目的を達成するために、相対する高部土手部と相対する低部土手部とを有するパレット部材と、相対する一方の側壁部材と、相対するもう一方の側壁部材とからなるボックスパレットにおいて、側壁部材が、厚さ方向に垂直に２分割された板材からなる２枚の半体を、溶着することにより形成されているとともに、一方の半体の中央領域の肉厚と、もう一方の半体の中央領域の肉厚とを、略同じ肉厚に形成したものである。
【発明の効果】
【００１３】
相対する高部土手部と相対する低部土手部とを有するパレット部材と、相対する一方の側壁部材と、相対するもう一方の側壁部材とからなるボックスパレットにおいて、側壁部材が、厚さ方向に垂直に２分割された板材からなる２枚の半体を、溶着することにより形成されているとともに、一方の半体の中央領域の肉厚と、もう一方の半体の中央領域の肉厚とを、略同じ肉厚に形成したので、２枚の半体の反り変形が防止され、従って、２枚の半体を溶着することにより形成される側壁部材の反り変形を抑制することができ、よって、パレット部材と側壁部材とからなるボックスパレットの組み立て作業や折り畳み作業を、迅速に、且つ、容易に行なうことができる。
【図面の簡単な説明】
【００１４】
【図１】図１は、本発明のボックスパレットの斜視図である。
【図２】図２は、本発明のボックスパレットを構成する側壁部材の分解斜視図である。
【図３】図３は、本発明のボックスパレットを構成する側壁部材の分解平面図である。
【図４】図４は、本発明のボックスパレットを構成する側壁部材の水平断面を含む拡大斜視図である。
【実施例】
【００１５】
以下に、本発明の実施例について説明するが、本発明の趣旨を越えない限り、何ら、本発明の実施例に限定されるものではない。
【００１６】
図１において、Ｂは、ボックスパレットであり、ボックスパレットＢは、パレット部材１と、相対する一方の側壁部材２と、相対するもう一方の側壁部材３とから構成されている。
【００１７】
パレット部材１は、パレット部材１の相対する一方の辺部に形成された土手部１ａと、パレット部材１の相対するもう一方の辺部に形成された土手部１ｂとを有しているとともに、相対する一方の辺部に形成された土手部１ａは、相対するもう一方の辺部に形成された土手部１ｂより高く形成されている。以下、相対する一方の辺部に形成された土手部１ａを、高部土手部と称し、また、高部土手部１ａより低い、相対するもう一方の辺部に形成された土手部１ｂを、以下、低部土手部と称する。
【００１８】
パレット部材１の裏面の相対する辺部には、低部土手部１ｂに沿って、側部桁１ｃが形成されており、また、相対する側部桁１ｃの中間部には、側部桁１ｃに略平行な中間桁１ｄが形成されており、側部桁１ｃと中間桁１ｄとの間には、２本のフォーク挿入口１ｅが形成されている。
【００１９】
相対する一方の側壁部材２と相対するもう一方の側壁部材３とが、共に、略垂直に立てられた状態から、特許文献１に開示されているように、一方の側壁部材２を、高部土手部１ａから上方に引き抜き、次いで、低部土手部１ｂにヒンジ連結されたもう一方の側壁部材３を、パレット部材１に重なるように倒し、その後、引き抜かれた相対する一方の側壁部材２を、パレット部材１に重ねられた相対するもう一方の側壁部材３に重ねることにより、図１に示されている箱型に組み立てられたボックスパレットＢを、折り畳むことができるように構成されている。
【００２０】
以下に、本発明の側壁部材２、３の構成について説明するが、基本的な本発明の要旨は同じであるので、低部土手部１ｂにヒンジ連結されたもう一方の側壁部材３を例に、本発明について説明する。
【００２１】
側壁部材３は、厚さ方向に垂直に２分割された板材からなる２枚の半体３Ａ、３Ｂを、溶着することにより形成されている。
【００２２】
側壁部材３の一方の半体３Ａは、箱型に組み立てられたボックスパレットＢの内側に位置し、また、もう一方の半体３Ｂは、箱型に組み立てられたボックスパレットＢの外側に位置することになる。従って、以下においては、箱型に組み立てられたボックスパレットＢの内側に位置する一方の半体３Ａを、内側半体と称し、また、箱型に組み立てられたボックスパレットＢの外側に位置するもう一方の半体３Ｂを、外側半体と称する。
【００２３】
内側半体３Ａは、両端部分３ａ１を除いて、その中央領域３ａ２は、肉厚Ｔａが、一定に形成されている。端部分３ａ１は、中央領域３ａ２と端部分３ａ１との境界線Ｌ１を境に、内側半体３Ａの端部３ａ３に向かって、その肉厚が、徐々に漸減する肉厚漸減部３ａ１’と、肉厚漸減部３ａ１’から、端部３ａ３まで延在する、肉厚が一定の薄肉部３ａ１”とから形成されている。
【００２４】
外側半体３Ｂは、両端部分３ｂ１を除いて、その中央領域３ｂ２は、肉厚Ｔｂが、一定に形成されている。端部分３ｂ１は、中央領域３ｂ２と端部分３ｂ１との境界線Ｌ１を境に、外側半体３Ｂの端部３ｂ３に向かって、その肉厚が、徐々に漸増する肉厚漸増部３ｂ１’と、肉厚漸増部３ｂ１’に連接された後述する嵌合凸部Ｈとから形成されている。
【００２５】
内側半体３Ａの端部分３ａ１と中央領域３ａ２との境界線Ｌ１と、外側半体３Ｂの端部分３ｂ１と中央領域３ｂ２との境界線Ｌ１とは、内側半体３Ａと外側半体３Ｂとを溶着した際には、一致するように構成されている。
【００２６】
また、内側半体３Ａの肉厚漸減部３ａ１’と薄肉部３ａ１”との境界線Ｌ２と、外側半体３Ｂの肉厚漸増部３ｂ１’と嵌合凸部Ｈとの境界線Ｌ２とは、内側半体３Ａと外側半体３Ｂとを溶着した際には、一致するように構成されている。
【００２７】
更に、内側半体３Ａの中央領域３ａ２の一定な肉厚Ｔａと、外側半体３Ｂの中央領域３ｂ２の一定な肉厚Ｔｂとは、略同じ肉厚に形成されている。
【００２８】
更にまた、垂直部ｈ１と水平部ｈ２とからなる、特許文献１に開示されている嵌合凸部Ｈは、外側半体３Ｂの肉厚漸増部３ｂ１’に連接されており、嵌合凸部Ｈを、肉厚漸増部３ｂ１’に連接することにより、嵌合凸部Ｈに負荷が加わった際に、嵌合凸部Ｈや外側半体３Ｂが損傷するようなことを防止することができる。
【００２９】
上述したように、内側半体３Ａの両端部分３ａ１以外の中央領域３ａ２の肉厚Ｔａと、外側半体３Ｂの両端部分３ｂ１以外の中央領域３ｂ２の肉厚Ｔｂとが同じに形成されているので、従来のように、嵌合凸部Ｈが形成される一方の半体を肉厚とし、嵌合凸部Ｈが形成されていない、もう一方の半体を肉薄とすることによる、上述した従来の側壁部材の反り変形を防止することができる。従って、内側半体３Ａと外側半体３Ｂとの反り変形が防止され、内側半体３Ａと外側半体３Ｂとを溶着することにより形成される側壁部材３の反り変形を抑制することができ、パレット部材１と側壁部材２、３とからなるボックスパレットＢの組み立て作業や折り畳み作業を、迅速に、且つ、容易に行なうことができる。
【符号の説明】
【００３０】
Ｂ・・・・・・・・・・・・ボックスパレット
Ｈ・・・・・・・・・・・・嵌合凸部
１・・・・・・・・・・・・パレット部材
３・・・・・・・・・・・・側壁部材
３Ａ・・・・・・・・・・・内側半体
３ａ２・・・・・・・・・・中央領域
３Ｂ・・・・・・・・・・・外側半体
３ｂ２・・・・・・・・・・中央領域
【図１】
2014162555.tif 000003
【図２】
2014162555.tif 000004
【図３】
2014162555.tif 000005
【図４】
2014162555.tif 000006